【手続補正書】
【提出日】平成27年3月11日(2015.3.11)
【手続補正１】
【補正対象書類名】特許請求の範囲
【補正対象項目名】全文
【補正方法】変更
【補正の内容】
【特許請求の範囲】
【請求項１】
連続紙に対する印刷処理を行う印刷装置の動作を制御する印刷装置制御手段と、
連続紙の表面印刷に使用される印刷データを生成する画像処理を制御する表面画像処理制御装置、連続紙の裏面印刷に使用される印刷データを生成する画像処理を制御する裏面画像処理制御装置、および前記印刷装置制御手段の動作を制御するコントローラ制御手段とを有し、
前記コントローラ制御手段は、前記印刷装置、前記表面画像処理制御装置、前記裏面画像処理制御装置、および自装置の起動状態をそれぞれ管理し、前記各装置に対して指示を行う操作を、起動処理が完了したものから順に操作画面上で可能とする印刷制御装置。
【請求項２】
前記コントローラ制御手段は、ホストコンピュータから受信したストリーム系の印刷データを取り扱うための印刷指示格納領域が存在する場合には、前記印刷装置、前記表面画像処理制御装置、前記裏面画像処理制御装置、および自装置の全ての装置の起動処理が完了した後に、前記各装置に対して指示を行う操作を操作画面上で可能とする請求項１記載の印刷制御装置。
【請求項３】
前記印刷装置制御手段は、前記印刷装置を構成する複数のユニットの起動状態を管理し、
前記コントローラ制御手段は、前記印刷装置制御手段の管理報告に基づいて、前記ユニットに対して指示を行う操作を、起動処理が完了したものから順に操作画面上で可能とする請求項１または２記載の印刷制御装置。
【請求項４】
前記コントローラ制御手段は、複数の前記ユニットのうち他のユニットの起動状態に影響を受けるユニットに対する指示を、当該他のユニットの起動処理が正常に完了するまでは操作画面上で行わせない請求項３記載の印刷制御装置。
【請求項５】
連続紙に対する印刷処理を行う印刷装置と、
連続紙の表面印刷に使用される印刷データを生成する画像処理を制御する表面画像処理制御装置と、
連続紙の裏面印刷に使用される印刷データを生成する画像処理を制御する裏面画像処理制御装置と、
前記印刷装置の動作を制御する印刷装置制御手段と、前記表面画像処理制御装置、前記裏面画像処理制御装置、および前記印刷装置制御手段の動作を制御するコントローラ制御手段とを有し、前記コントローラ制御手段は、前記印刷装置、前記表面画像処理制御装置、前記裏面画像処理制御装置、および自装置の起動状態をそれぞれ管理し、前記各装置に対して指示を行う操作を、起動処理が完了したものから順に操作画面上で可能とする印刷制御装置と、
を備えた印刷システム。
【請求項６】
連続紙に対する印刷処理を行う印刷装置、連続紙の表面印刷に使用される印刷データを生成する画像処理を制御する表面画像処理制御装置、連続紙の裏面印刷に使用される印刷データを生成する画像処理を制御する裏面画像処理制御装置、および自装置の起動状態をそれぞれ管理するステップと、
前記印刷装置、前記表面画像処理制御装置、前記裏面画像処理制御装置、および自装置の各装置に対して指示を行う操作を、起動処理が完了したものから順に操作画面上で可能とするステップとをコンピュータに実行させるためのプログラム。
【手続補正２】
【補正対象書類名】明細書
【補正対象項目名】０００８
【補正方法】変更
【補正の内容】
【０００８】
請求項２に係る本発明では、前記コントローラ制御手段は、ホストコンピュータから受信したストリーム系の印刷データを取り扱うための印刷指示格納領域が存在する場合には、前記印刷装置、前記表面画像処理制御装置、前記裏面画像処理制御装置、および自装置の全ての装置の起動処理が完了した後に、前記各装置に対して指示を行う操作を操作画面上で可能とする請求項１記載の印刷制御装置である。
【手続補正３】
【補正対象書類名】明細書
【補正対象項目名】０００９
【補正方法】変更
【補正の内容】
【０００９】
請求項３に係る本発明では、前記印刷装置制御手段は、前記印刷装置を構成する複数のユニットの起動状態を管理し、
前記コントローラ制御手段は、前記印刷装置制御手段の管理報告に基づいて、前記ユニットに対して指示を行う操作を、起動処理が完了したものから順に操作画面上で可能とする請求項１または２記載の印刷制御装置である。
請求項４に係る本発明では、前記コントローラ制御手段は、複数の前記ユニットのうち他のユニットの起動状態に影響を受けるユニットに対する指示を、当該他のユニットの起動処理が正常に完了するまでは操作画面上で行わせない請求項３記載の印刷制御装置である。
【手続補正４】
【補正対象書類名】明細書
【補正対象項目名】００１０
【補正方法】変更
【補正の内容】
【００１０】
[印刷システム]
請求項５に係る本発明は、連続紙に対する印刷処理を行う印刷装置と、
連続紙の表面印刷に使用される印刷データを生成する画像処理を制御する表面画像処理制御装置と、
連続紙の裏面印刷に使用される印刷データを生成する画像処理を制御する裏面画像処理制御装置と、
前記印刷装置の動作を制御する印刷装置制御手段と、前記表面画像処理制御装置、前記裏面画像処理制御装置、および前記印刷装置制御手段の動作を制御するコントローラ制御手段とを有し、前記コントローラ制御手段は、前記印刷装置、前記表面画像処理制御装置、前記裏面画像処理制御装置、および自装置の起動状態をそれぞれ管理し、前記各装置に対して指示を行う操作を、起動処理が完了したものから順に操作画面上で可能とする印刷制御装置とを備えた印刷システムである。
【手続補正５】
【補正対象書類名】明細書
【補正対象項目名】００１１
【補正方法】変更
【補正の内容】
【００１１】
[プログラム]
請求項６に係る本発明は、連続紙に対する印刷処理を行う印刷装置、連続紙の表面印刷に使用される印刷データを生成する画像処理を制御する表面画像処理制御装置、連続紙の裏面印刷に使用される印刷データを生成する画像処理を制御する裏面画像処理制御装置、および自装置の起動状態をそれぞれ管理するステップと、
前記印刷装置、前記表面画像処理制御装置、前記裏面画像処理制御装置、および自装置の各装置に対して指示を行う操作を、起動処理が完了したものから順に操作画面上で可能とするステップとをコンピュータに実行させるためのプログラムである。
【手続補正６】
【補正対象書類名】明細書
【補正対象項目名】００１４
【補正方法】変更
【補正の内容】
【００１４】
請求項３に係る本発明によれば、請求項１または２に係る本発明により得られる効果に加えて、印刷装置の各ユニットに対する操作を起動処理が完了したものから可能とすることができる印刷制御装置を提供することができる。
請求項４に係る本発明によれば、請求項３に係る本発明により得られる効果に加えて、印刷装置の各ユニットに対する操作を関連するユニットの起動処理が正常に完了したものから可能とすることができる印刷制御装置を提供することができる。
【手続補正７】
【補正対象書類名】明細書
【補正対象項目名】００１５
【補正方法】変更
【補正の内容】
【００１５】
請求項５に係る本発明によれば、印刷装置、表面画像処理制御装置、裏面画像処理制御装置、印刷制御装置からなる印刷システムにおいて、印刷開始までの事前準備にかかる時間を、本発明の構成を有しない場合と比較して短縮することが可能な印刷システムを提供することができる。
【手続補正８】
【補正対象書類名】明細書
【補正対象項目名】００１６
【補正方法】変更
【補正の内容】
【００１６】
請求項６に係る本発明によれば、印刷装置、表面画像処理制御装置、裏面画像処理制御装置、印刷制御装置からなる印刷システムにおいて、印刷開始までの事前準備にかかる時間を、本発明の構成を有しない場合と比較して短縮することが可能なプログラムを提供することができる。
【手続補正９】
【補正対象書類名】明細書
【補正対象項目名】００５５
【補正方法】変更
【補正の内容】
【００５５】
これに対してストリームデータ処理方式とは、一連のデータがホストコンピュータ１０から親コントローラ３０に対して順次送られてくるデータ処理方式であり、このストリームデータ処理方式で印刷データを扱う場合には、親コントローラ３０はホストコンピュータ１０との間でリアルタイムに処理を行う必要がある。そのため、このストリームデータ処理方式で印刷データが送信されてくる場合には、親コントローラ３０は、印刷装置５０、表面ＲＩＰ制御装置４１、裏面ＲＩＰ制御装置４２の起動処理が完了していない状態でホストコンピュータ１０とのやり取りを開始してしまうと、ホストコンピュータ１０と連動した処理を実行することができなくなってしまう可能性がある。